(57)【要約】【課題】ＩＣに対する電源電圧供給が安定しない場合であっても、他の回路動作への影響を最小限としつつ、利用者の利便性を損なう事無く、リセット信号で確実にＩＣの初期化を行うことが可能なデジタルテレビ受像機、ＩＣ初期化回路、およびＩＣ初期化方法を提供する。【解決手段】ＤＴＶマイコン１０ｆが映像信号処理ＩＣ１０ｃのリセット端子に対して所定時間長ｔ０の初期化信号を出力し、この所定時間長の初期化信号により映像信号処理ＩＣ１０ｃが初期化されないときには、ＤＴＶマイコン１０ｆが初期化信号の出力時間を漸次延長し、映像信号処理ＩＣ１０ｃが初期化されるまで繰り返しリセット信号を出力する。【選択図】図３
2008005406.tif 000002
【特許請求の範囲】
【請求項１】
信号処理を行うＩＣと、同ＩＣが備えるリセット端子に対し初期化信号を出力して上記ＩＣを初期化させるＩＣ初期化回路とを備えつつ、入力された映像信号に基づいて画面に映像表示を行うテレビ受像機において、
入力された映像信号に所定の映像信号処理を施してディスプレイに出力するとともに、リ初期化信号が入力されるセット端子と設定値を保持するためのレジスタとを有し、同リセット端子に初期化信号が入力されると上記レジスタの設定値を所定の初期状態に戻す初期化を行う映像信号処理ＩＣと、
上記映像信号処理ＩＣの映像信号処理を制御するとともに、上記リセット端子と接続されたリセット信号出力端子を有し、上記映像信号処理ＩＣに初期化信号を出力して上記映像信号処理ＩＣを初期化させるＤＴＶマイコンとを備え、
上記ＤＴＶマイコンは、
上記映像信号処理ＩＣからの応答が異常であると判断すると、上記リセット信号出力端子を介して上記リセット端子に所定時間長の初期化信号を送出し、
同送出後、上記映像信号処理ＩＣからの応答が正常であると判断すると、上記映像信号処理ＩＣに通常の映像信号処理を再開させ、
初期化信号の送出後、上記映像信号処理ＩＣからの応答が異常であると判断すると、上記所定時間を延長した初期化信号を送出して上記映像信号処理ＩＣからの応答が正常となるまで上記所定時間の延長と初期化信号の送出とを繰り返す
ことを特徴とするテレビ受像機。
【請求項２】
ＩＣのリセット端子に対し、初期化信号を出力して上記ＩＣを初期化させるＩＣ初期化回路において、
上記リセット端子に対して所定時間長の初期化信号を出力するＩＣ初期化手段と、
上記所定時間長の初期化信号により上記ＩＣが初期化されないときには、上記所定時間を漸次延長し、上記ＩＣ初期化手段に再度初期化信号の出力を行わせる初期化時間延長手段と、
を備えることを特徴とするＩＣ初期化回路。
【請求項３】
ＩＣのリセット端子に対し、初期化信号を出力して上記ＩＣを初期化させるＩＣ初期化方法であって、
上記リセット端子に対して所定時間長の初期化信号を出力するＩＣ初期化工程と、
上記所定時間長の初期化信号により上記ＩＣが初期化されないときには、上記所定時間を漸次延長し、上記ＩＣ初期化手段に再度初期化信号の出力を行わせる初期化時間延長工程と、
を備えることを特徴とするＩＣ初期化方法。
【発明の詳細な説明】
【技術分野】
【０００１】
本発明は、テレビ受像機、ＩＣ初期化回路およびＩＣ初期化方法に関し、特に、テレビ受像機はＩＣを備えつつ同ＩＣを初期化するＩＣ初期化回路を備えるものに関する。
【背景技術】
【０００２】
一般的に、ＩＣなどのマイコン回路は、電源投入時や電源切断時や外部初期化（リセット）信号の入力時などに、内部回路をすべて初期状態に戻す初期化を行う。この初期化がなされると、例えば、内部レジスタにラッチされている、データ、コンピュータの状態、命令の実行結果状態、などの様々なレジスタは予め決められた初期状態に戻る。
【０００３】
電子回路が複雑化し、要素部品の数が莫大なものになった場合、全内部状態を同時に確実に初期化（リセット）できるようにすることは、回路設計上重要な点となってくる。人間の目には一瞬に電気が回路内に行き渡っているように見えても、実際には電源電圧が規定値に達するまでには時間がかかる。
【０００４】
つまり、電源や信号を伝える配線の長さのごくわずかの差や、部品の個体差などにより、部品によって初期化動作が起こるタイミングが一致しないということが起こる。ある部品がすばやく初期化動作を終え、次の状態に遷移するために入力信号を取り込み始めたのに、その入力信号を生成している他の部品の初期化動作が完了していないと、全体としてはいい加減な入力信号を処理してでたらめな出力をする回路になってしまう。
【０００５】
例えば、デジタルテレビで映像信号をデジタル処理するＩＣでは、基本的には、数百ミリ秒間初期化信号を継続（継続されている初期化状態を一回の初期化とする）するとＩＣが初期化されるものとして設計されている。また、一回の初期化でＩＣが再起動（レジスタが初期化）されない場合は、再起動されるまで所定時間間隔で繰り返し初期化をかけるようになっていた。
【０００６】
この初期化信号（リセット信号）を利用する発明として、以下のようなものが知られている。
すなわち特許文献１には、最初のウォッチドッグ信号を検出するとリセット回路がハードディスク自己復帰リセット信号を出力し、２つ目のウォッチドッグ信号を検出すると通信コントローラがハードウェアリセット信号を出力し、３つ目のウォッチドッグ信号を検出するとＨＤＲ（ハードディスクレコーダ）への電源供給を停止させつつハードウェアリセット信号を出力し、さらにハードウェアリセット信号解除後、再度ウォッチドッグ信号を検出するとＨＤＲの電源供給を停止させる技術について記載されている。
【０００７】
また、特許文献２には、異常時に想定される使用者の操作を検出して、この操作毎にカウンタがカウントアップし、所定のカウントになると要素デバイスへリセット信号を出力して要素デバイスをリセットしつつ、要素デバイス内のマイクロコードやレジスタ設定をダウンロードする技術について記載されている。
【０００８】
さらに、特許文献３には、一定周期で出力されるパルスが、所定時間来ないときにはリセット信号により制御用コンピュータをリセットするリセット回路について記載されている。
【０００９】
さらに、特許文献４には、２系統の電源系統の双方に対して１つのリセット回路を接続し、１つのリセット回路で２系統の電源系統の双方を監視できるようにしたリセット回路について記載されている。
【００１０】
さらに、特許文献５には、時間計測カウンタのカウント結果が所定範囲内かどうかの判定を行い、所定範囲内で無い場合はシステムリセットを行う技術について記載されている。
【特許文献１】特開２００３−９１９２
【特許文献２】特開平１０−４２２２３
【特許文献３】特開昭６１−７４１２８
【特許文献４】特開平５−２３３１０１
【特許文献５】特開平８−９５８３１
【発明の開示】
【発明が解決しようとする課題】
【００１１】
簡単なラッチ（例えば通信エラーが起こった場合など）であれば、上述した一定時間の初期化（リセット）を繰り返すことでＩＣが初期化されて復帰するが、ラインノイズなどでポートラッチした場合は従来の一定時間の初期化では復帰しない。ポートラッチされた場合、ＩＣが本来消費するはずの電流がポートから出力がされないことが考えられ、設計した電源よりも放電に時間がかかるのである。従って、電源事情によっては、初期化が開始されてからＩＣ内部のレジスタの電荷が完全に放電（もしくは所定の電圧が印加）されて初期化されるまでに、設計段階で予想された時間よりも多くの時間がかかることが考えられ、このような場合一定時間の初期化では初期化が正常に行われないことがあった。
【００１２】
また、電源が立ち上がるときにもＩＣが正常に動作するように初期化をかけつつ起動するようになっているが、やはり電源事情によっては電源電圧が規定電圧に達するまでに設計段階で予想された時間以上に時間がかかる場合がある。このような場合にも、一定時間の初期化では初期化されず、ＩＣが正常に起動しないことがあった。
【００１３】
むろん、初期化時間を長く（例えば４秒などに）設定しておけば、確実に初期化をかけることは可能ではあるが、これでは他の回路の動作を阻害する可能性がある。また、利用者が違和感を感じてしまい、ユーザクレームの原因ともなる。
【００１４】
本発明は、上記課題に鑑みてなされたもので、ＩＣに対する電源電圧供給が安定しない場合であっても、他の回路動作への影響を最小限としつつ、利用者の利便性を損なう事無く、初期化信号で確実にＩＣの初期化を行うことが可能なテレビ受像機、ＩＣ初期化回路、およびＩＣ初期化方法を提供することを目的とする。
【課題を解決するための手段】
【００１５】
上記課題を解決するために、本発明の第一の構成例では、信号処理を行うＩＣと、同ＩＣが備えるリセット端子に対し初期化信号を出力して上記ＩＣを初期化させるＩＣ初期化回路とを備えつつ、入力された映像信号に基づいて画面に映像表示を行うテレビ受像機において、入力された映像信号に所定の映像信号処理を施してディスプレイに出力するとともに、リ初期化信号が入力されるセット端子と設定値を保持するためのレジスタとを有し、同リセット端子に初期化信号が入力されると上記レジスタの設定値を所定の初期状態に戻す初期化を行う映像信号処理ＩＣと、上記映像信号処理ＩＣの映像信号処理を制御するとともに、上記リセット端子と接続されたリセット信号出力端子を有し、上記映像信号処理ＩＣに初期化信号を出力して上記映像信号処理ＩＣを初期化させるＤＴＶマイコンとを備え、上記ＤＴＶマイコンは、上記映像信号処理ＩＣからの応答が異常であると判断すると、上記リセット信号出力端子を介して上記リセット端子に所定時間長の初期化信号を送出し、同送出後、上記映像信号処理ＩＣからの応答が正常であると判断すると、上記映像信号処理ＩＣに通常の映像信号処理を再開させ、初期化信号の送出後、上記映像信号処理ＩＣからの応答が異常であると判断すると、上記所定時間を延長した初期化信号を送出して上記映像信号処理ＩＣからの応答が正常となるまで上記所定時間の延長と初期化信号の送出とを繰り返す構成としてある。
【００１６】
また、上記目的を達成するために、本発明の第二の構成例では、ＩＣのリセット端子に対し、初期化信号を出力して上記ＩＣを初期化させるＩＣ初期化回路において、上記リセット端子に対して所定時間長の初期化信号を出力するＩＣ初期化手段と、上記所定時間長の初期化信号により上記ＩＣが初期化されないときには、上記所定時間を漸次延長し、上記ＩＣ初期化手段に再度初期化信号の出力を行わせる初期化時間延長手段と、を備える構成としてある。
すなわち、上記ＩＣ初期化手段が上記リセット端子に対して所定時間長の初期化信号を出力し、上記所定時間長の初期化信号により上記ＩＣが初期化されないときには、上記初期化時間延長手段が上記所定時間を漸次延長し、上記ＩＣ初期化手段に再度初期化信号の出力を行わせる。
【００１７】
ここでＩＣの初期化とは、ＩＣ内部のレジスタに保持される計算結果、メモリアドレス、動作状態などの情報を、設計時に予め定められている所定の初期状態に戻すこと（初期化（リセット））を言う。初期化が行われると、各レジスタが初期状態となるように各レジスタに電圧を印加する（もしくは電圧を抜く）が、レジスタによっては所望の電圧となるまでに要する時間が異なる。また、この要する時間は各レジスタの状態の組み合わせによっても異なる。従って、上記第二の構成例のように、通常は設計時に設定された時間（所定時間）で初期化し、ごく稀に発生する長時間の初期化を要する場合のみ初期化時間を漸次延長し、最小限の時間で初期化を行える構成とした。よって、他の回路動作への影響を最小限としつつ、利用者の利便性を損なう事無く、初期化信号で確実にＩＣの初期化を行うことが可能となる。
【発明の効果】
【００１８】
以上説明したように本発明によれば、他の回路動作への影響を最小限としつつ、利用者の利便性を損なう事無く、初期化信号で確実にＩＣの初期化を行うことが可能なテレビ受像機、ＩＣ初期化回路およびＩＣ初期化方法を提供することができる。
【発明を実施するための最良の形態】
【００１９】
以下、下記の順序に従って本発明の実施形態を説明する。
（１）デジタルテレビ受像機の構成：
（２）ＩＣの初期化を行うマイコンの処理：
（３）まとめ：
【００２０】
（１）デジタルテレビ受像機の構成： 
以下、図１を参照して、本発明のＩＣ初期化回路およびＩＣ初期化方法について、これらを適用して具体化したテレビ受像機を例にとって説明する。図１には本発明の実施形態にかかるテレビ受像機の構成（概略構成）をブロック図にて示してある。なお、本発明のＩＣ初期化回路およびＩＣ初期化方法は、テレビ受像機に限られるわけではなく、リセット端子を備えるＩＣを具備する電気電子機器であればいかなるものにも適用可能である。
【００２１】
まず、図１を参照してテレビ受像機１０の構成（概略構成）について説明する。同図には、テレビ受像機１０の構成（概略構成）をブロック図にて示してある。
【００２２】
このテレビ受像機１０は、少なくとも、ＩＣと同ＩＣに初期化信号（リセット信号）を出力するＩＣ初期化回路とを備え、入力された映像信号に基づいて画面に映像表示を行う。ＩＣ初期化回路がＩＣのリセット端子に対して初期化信号（リセット信号）を出力すると、ＩＣは同初期化信号を受け付けてＩＣの各種設定（例えばプログラムカウンタ、タイマ、入出力ポート、コンピュータの状態を表す情報、などのレジスタ値）を初期状態にする（リセットする）。すなわちＩＣは初期化（リセット）され、初期化後はプログラムが最初の０番地から実行される。
【００２３】
図１において、このＩＣは、映像信号処理ＩＣ１０ｃとＤＴＶマイコン（デジタルテレビマイコン）１０ｆとメインマイコン１０ｅとのいずれかまたは組み合わせに相当する。また、同図において、映像信号処理ＩＣ１０ｃに初期化信号を出力するＩＣ初期化回路はＤＴＶマイコン１０ｆであり、ＤＴＶマイコン１０ｆに初期化信号を出力するＩＣ初期化回路はメインマイコン１０ｅである。むろん、さらにメインマイコン１０ｅを初期化するＩＣ初期化回路を備える構成であってもかまわない。
【００２４】
具体的には、テレビ受像機１０は、アナログ地上波放送とデジタル地上波放送との受信に対応したＡ／Ｄチューナ１０ａ（アナログ／デジタル両用チューナ）と、デジタルの映像信号処理を行う映像信号処理ＩＣ１０ｃと、アナログの映像信号をデジタルの映像信号に変換して映像信号処理ＩＣ１０ｃに出力するＡ／Ｄ変換部１０ｂと、主にＡ／Ｄチューナ１０ａや映像信号処理ＩＣ１０ｃなどのデジタル処理を行う各部を制御するＤＴＶマイコン１０ｆと、ＤＴＶマイコン１０ｆを制御するとともにテレビ受像機１０全体を制御するメインマイコン１０ｅと、映像信号処理ＩＣ１０ｃから出力される映像信号に基づいて画面に映像を表示するディスプレイ１０ｄとから構成される。
【００２５】
次に、図１の各構成の作用と、構成間の関係について詳細に説明する。
Ａ／Ｄチューナ１０ａは、アンテナと所定のケーブルにより接続可能であり、ＤＴＶマイコン１０ｆからの選局制御信号を受けて、アンテナから供給されるテレビ放送信号の各チャンネルに対応する放送信号のいずれかから所望の周波数帯域の中間周波信号（ＩＦ）を抽出して出力する。これにより、テレビジョン放送のチャンネルが選択される。Ａ／Ｄチューナ１０ａはＤＴＶマイコン１０ｆ（またはメインマイコン１０ｅ）の制御によりアナログ地上波放送とデジタル地上波放送とを切り換えていずれか一方を受信する。そして、アナログ地上波放送を受信すると、同放送に対応する中間周波信号をＡ／Ｄ変換部１０ｂに対して出力し、デジタル地上波放送を受信すると、同放送に対応する中間周波信号を映像信号処理ＩＣ１０ｃに対して出力する。
【００２６】
Ａ／Ｄ変換部１０ｂは、Ａ／Ｄチューナ１０ａから入力されたアナログ映像信号を、その信号レベルに応じて映像信号処理ＩＣ１０ｃが解釈可能なデジタル映像信号に変換して出力する。
【００２７】
映像信号処理ＩＣ１０ｃは、ＤＴＶマイコン１０ｆの制御信号により、Ａ／Ｄチューナ１０ａもしくはＡ／Ｄ変換部１０ｂから入力されるデジタル映像信号に、所定の映像信号処理（例えばスケーリング処理、画質調整処理、ＯＳＤ信号の重畳処理など）を施してディスプレイ１０ｄに出力する。映像信号処理ＩＣ１０ｃは、ＤＴＶマイコン１０ｆの初期化信号出力端子に接続されたリセット端子と各種設定値を保持するためのレジスタとを備えており、同リセット端子に初期化信号が入力されると内部の設定値を初期状態に戻す初期化を行う。すなわち、映像信号処理ＩＣ１０ｃのリセット端子が同映像信号処理ＩＣ１０ｃの初期化を制御するリセット端子を構成し、ＤＴＶマイコン１０ｆのリセット信号出力端子が初期化信号を出力して映像信号処理ＩＣ１０ｃを初期化させるＩＣ初期化回路を構成する。
【００２８】
そして、ディスプレイ１０ｄは入力された映像信号に基づいて内部の駆動回路によって駆動され、画面に映像を表示する。具体的には、液晶ディスプレイの液晶表示セルがＸＹ駆動ドライバに駆動されたり、垂直偏向回路に制御される垂直偏向コイルや水平偏向回路に制御される水平偏向コイルによってブラウン管テレビの電子ビームが偏向されることにより、画面に映像が表示される。むろんディスプレイ１０ｄとしては、プラズマディスプレイやその他の形態のディスプレイであってもよいことはいうまでもない。
【００２９】
ＤＴＶマイコン１０ｆは、メインマイコン１０ｅや映像信号処理ＩＣ１０ｃ、Ａ／Ｄチューナ１０ａなどのテレビ受像機を構成する各部と通信可能に接続されており、バスを介して映像信号処理ＩＣ１０ｃやＡ／Ｄチューナ１０ａなどのデジタル信号処理に関わる各部を制御する。また、ＤＴＶマイコン１０ｆは、映像信号処理ＩＣ１０ｃのリセット端子と接続されたリセット信号出力端子を備えて、映像信号処理ＩＣ１０ｃが異常（エラー）状態となると初期化信号を出力して映像信号処理ＩＣ１０ｃを正常状態に回復させる。
【００３０】
一方、ＤＴＶマイコン１０ｆはメインマイコン１０ｅのリセット信号出力端子に接続されたリセット端子をも備え、同リセット端子に初期化信号が入力されると内部のレジスタ値を初期状態に戻す初期化を行う。ＤＴＶマイコン１０ｆのリセット端子が同ＤＴＶマイコン１０ｆの初期化を制御するリセット端子を構成し、メインマイコン１０ｅのリセット信号出力端子が初期化信号を出力してＤＴＶマイコン１０ｆを初期化させるＩＣ初期化回路を構成する。
【００３１】
メインマイコン１０ｅは、テレビ受像機１０を構成する各部と通信可能に接続されており、バスを介してテレビ受像機１０全体の動作を制御する。また、メインマイコン１０ｅはリセット信号出力端子を備えており、このリセット信号出力端子から出力される初期化信号はＤＴＶマイコン１０ｆのリセット端子に入力される。これにより、メインマイコン１０ｅはＤＴＶマイコン１０ｆを異常（エラー）状態から回復させることが可能となる。
【００３２】
（２）ＩＣの初期化を行うマイコンの処理： 
次に、ＩＣの初期化を行うマイコンの処理を、図２のフローチャートおよび図３のタイミングチャートを参照しつつ説明する。図３には、比較のために従来のマイコンが出力していた初期化信号の出力タイミングと本発明のマイコンが出力する初期化信号の出力タイミングとを並べて示してある。この処理は、マイコンがＩＣの異常（エラー）を検知したときに実行される。具体的には、マイコンがＩＣに対してデータ出力を行ったが、ＩＣから所定の返答が返ってこない場合などである。なお、本実施例ではＤＴＶマイコン１０ｆが行う映像信号処理ＩＣ１０ｃの初期化を例にとって説明するが、むろんメインマイコン１０ｅが行うＤＴＶマイコン１０ｆの初期化であってもよいし、その他の電機電子機器に使用されるＩＣを所定のリセット回路が初期化するものであってもよい。
【００３３】
処理が開始されると、まずステップＳ１０で初期化時間ｔｎ（一回の初期化において初期化を継続する時間）をセットする。図２では、初期化時間ｔｎのｎを０として、初期化時間がｔ０にセットされて開始されるものとしてある。具体的には図３に示されるように、当該処理の一回目の初期化時間を従来の初期化時間と同様のｔ０とし、当該処理がステップＳ２０で条件不成立となる度にｔ１（＝２ｔ０）、ｔ２（＝３ｔ０），ｔ３（＝４ｔ０）、・・・と初期化時間を増加させる。
【００３４】
むろん、このｔｎとしては様々なものを採用可能であり、例えば、ｔ０を１クロック（１単位時間）、ｔ１を２クロック（２単位時間）、ｔ２を３クロック（３単位時間）、・・・のように１クロック（１単位時間）ずつ増加するとしてもよいし、ｔ０を１クロック、ｔ１を２クロック、ｔ２を４クロック、・・・のように倍々に増加するとしてもよく、ｎの増加に伴いｔｎが増加するものであればいかなる増加の仕方であっても構わない。
【００３５】
次にステップＳ１２では、初期化信号の出力を開始する。ＤＴＶマイコン１０ｆは、リセット端子に初期化信号が入力されると、映像信号処理ＩＣ１０ｃ内部のレジスタが予め定められた所定の初期状態のレジスタ値となるように電圧の印加（もしくは電圧の放出）を開始する。このように電圧の印加（もしくは放出）が開始されてから全てのレジスタが初期状態のレジスタ値となるまでの時間（以後、回復時間とする）は、いずれのレジスタがラッチされているか、もしくはラッチされているレジスタの組み合わせにより、様々な時間となり得る。具体的には、たとえば、通信エラーなどの簡単なラッチであれば回復時間は短時間となり、ポートラッチなどであれば回復時間は長くなる。仮に回復時間よりも初期化時間が短いと、初期化されたレジスタと初期化されないレジスタとが存在することになり、映像信号処理ＩＣ１０ｃの異常動作の原因となる。
【００３６】
次に、ステップＳ１４では、初期化信号の出力が開始されてから所定時間ｔｎが経過したか否かを判断する。所定時間ｔｎが経過していると条件成立としてステップＳ１６に進み、初期化信号の出力を停止してステップＳ２０に進む。一方、所定時間ｔｎが経過していないときは条件不成立として所定時間が経過して条件成立となるまでステップＳ１４の処理を繰り返す。
【００３７】
次に、ステップＳ１６では、映像信号処理ＩＣ１０ｃの異常（エラー）が回復しているか否かを判断する。具体的には、所定の信号を映像信号処理ＩＣ１０ｃに出力し、正常な応答が返ってくるか否かにより判断すればよい。異常が回復している場合は、条件成立として当該処理を終了して映像信号処理ＩＣ１０ｃに所定の映像信号処理を開始させる。一方、異常が回復しておらず、正常な応答が返ってこない場合は、条件不成立としてステップＳ２２に進みｎをインクリメント（１増加）し（ｔｎ＝ｔ１とし）、ステップＳ１２からの処理を繰り返す。
【００３８】
以上より、図２のフローチャートにおいて、ステップＳ１０〜Ｓ２０の処理を行うＤＴＶマイコン１０ｆが、映像信号処理ＩＣ１０ｃのリセット端子に対して所定時間長ｔ０の初期化信号を出力することにより映像信号処理ＩＣ１０ｃを初期化させるＩＣ初期化手段を構成する。また、図２のフローチャートにおいて、ステップＳ２０とＳ２２とを実行したのちステップＳ１２〜Ｓ１６の処理を再実行させるＤＴＶマイコン１０ｆが、所定時間長（第一回目の処理ではｔ０、第二回目以降は順にｔ１、ｔ２、ｔ３、・・・）の初期化信号により映像信号処理ＩＣ１０ｃが初期化されないときに上記所定時間を漸次延長し、ＩＣ初期化手段に再度初期化信号の出力を行わせる初期化時間延長手段を構成する。
【００３９】
以下、上記構成からなる本実施形態の動作を説明する。
映像信号処理ＩＣ１０ｃが異常（エラー）状態となり、ＤＴＶマイコン１０ｆの制御信号や映像信号の入力に対して正常な応答を返さなくなると、ＤＴＶマイコン１０ｆが同ＤＴＶマイコン１０ｆのリセット信号出力端子を介して映像信号処理ＩＣ１０ｃのリセット端子に所定時間（ｔ０）長の初期化信号を送出する。
【００４０】
この所定時間ｔ０の間に映像信号処理ＩＣ１０ｃ内のレジスタが全て初期状態となると、初期化信号に続いてＤＴＶマイコン１０ｆが出力する制御信号や映像信号に対して正常な応答を返し、ＤＴＶマイコン１０ｆは映像信号処理ＩＣ１０ｃが正常状態に復帰したものと判断して通常の処理を再開する。この場合、他の回路の処理にほとんど影響は無く、人が感じうるほど処理に遅滞は生じ無い。従って、画面を視聴している利用者（もしくは電気電子機器を使用している利用者）が違和感を感じることはない。
【００４１】
一方、所定時間ｔ０では映像信号処理ＩＣ１０ｃ内の全てのレジスタが初期状態に戻らず、複数のレジスタのいずれかまたは組み合わせが異常状態を継続していると、初期化信号に続いてＤＴＶマイコン１０ｆが出力する制御信号や映像信号に対して正常な応答を返すことが出来ず、ＤＴＶマイコン１０ｆは映像信号処理ＩＣ１０ｃが復帰していないと判断してさらに延長した所定時間（例えば２ｔ０）長の初期化信号を送出する。
【００４２】
すなわち、映像信号処理ＩＣ１０ｃで発生する異常（エラー）のほとんど通信エラーなどの簡単なものであり、所定時間（ｔ０）の初期化時間内に復帰可能である。従って、ステップＳ１０〜Ｓ２０の処理を行えば異常状態が解消して復帰し、最小限の時間でエラーを解消することが可能となる。一方、ごくまれに生じる通信ポートのラッチなどの異常は、短時間の初期化では復帰出来ないが、本発明では漸次初期化時間を延長するため、長時間の初期化を必要とする異常であっても異常状態を解消することが可能となる。すなわち、通常は最小限度の初期化時間で異常（エラー）を解消して復帰させて視聴者の利便性損なわずにすむとともに、稀に発生する長時間の初期化を必要とする異常であっても漸次延長される初期化時間によって確実に異常を解消することが可能となる。
【００４３】
（３）まとめ： 
以上の内容を要約すると、ＤＴＶマイコン１０ｆが映像信号処理ＩＣ１０ｃのリセット端子に対して所定時間長ｔ０の初期化信号を出力し、この所定時間長の初期化信号により映像信号処理ＩＣ１０ｃが初期化されないときには、ＤＴＶマイコン１０ｆが初期化信号の出力時間を漸次延長し、映像信号処理ＩＣ１０ｃが初期化されるまで繰り返し初期化信号を出力する、と言える。
【００４４】
以上説明したように、本発明では、ＩＣのリセット端子に対し、初期化信号を出力して上記ＩＣを初期化させるＩＣ初期化回路において、上記リセット端子に対して所定時間長の初期化信号を出力するＩＣ初期化手段と、上記所定時間長の初期化信号により上記ＩＣが初期化されないときには、上記所定時間を漸次延長し、上記ＩＣ初期化手段に再度初期化信号の出力を行わせる初期化時間延長手段と、を備える構成としてある。
すなわち、上記ＩＣ初期化手段が上記リセット端子に対して所定時間長の初期化信号を出力し、上記所定時間長の初期化信号により上記ＩＣが初期化されないときには、上記初期化時間延長手段が上記所定時間を漸次延長し、上記ＩＣ初期化手段に再度初期化信号の出力を行わせる。
【００４５】
ここでＩＣの初期化とは、ＩＣ内部のレジスタに保持される計算結果、メモリアドレス、動作状態などの情報を、設計時に予め定められている所定の初期状態に戻すこと（リセット）を言う。初期化が行われると、各レジスタが初期状態となるように各レジスタに電圧を印加する（もしくは電圧を抜く）が、レジスタによっては所望の電圧となるまでに要する時間が異なる。また、この要する時間は各レジスタの状態の組み合わせによっても異なる。従って、上記第二の構成例のように、通常は設計時に設定された時間（所定時間）で初期化し、ごく稀に発生する長時間の初期化を要する場合のみ初期化時間を漸次延長し、最小限の時間で初期化を行える構成とした。よって、他の回路動作への影響を最小限としつつ、利用者の利便性を損なう事無く、初期化信号で確実にＩＣの初期化を行うことが可能となる。
【００４６】
以上の構成を踏まえた上で、本発明のより具体的な構成例として、信号処理を行うＩＣと、同ＩＣが備えるリセット端子に対し初期化信号を出力して上記ＩＣを初期化させるＩＣ初期化回路とを備えつつ、入力された映像信号に基づいて画面に映像表示を行うテレビ受像機において、入力された映像信号に所定の映像信号処理を施してディスプレイに出力するとともに、リ初期化信号が入力されるセット端子と設定値を保持するためのレジスタとを有し、同リセット端子に初期化信号が入力されると上記レジスタの設定値を所定の初期状態に戻す初期化を行う映像信号処理ＩＣと、上記映像信号処理ＩＣの映像信号処理を制御するとともに、上記リセット端子と接続されたリセット信号出力端子を有し、上記映像信号処理ＩＣに初期化信号を出力して上記映像信号処理ＩＣを初期化させるＤＴＶマイコンとを備え、上記ＤＴＶマイコンは、上記映像信号処理ＩＣからの応答が異常であると判断すると、上記リセット信号出力端子を介して上記リセット端子に所定時間長の初期化信号を送出し、同送出後、上記映像信号処理ＩＣからの応答が正常であると判断すると、上記映像信号処理ＩＣに通常の映像信号処理を再開させ、初期化信号の送出後、上記映像信号処理ＩＣからの応答が異常であると判断すると、上記所定時間を延長した初期化信号を送出して上記映像信号処理ＩＣからの応答が正常となるまで上記所定時間の延長と初期化信号の送出とを繰り返す構成としてある。
【００４７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４８】
【図１】本発明の実施形態にかかるテレビ受像機の構成（概略構成）を示すブロック図である。
【図２】ＩＣの初期化を行うマイコンの処理を示すフローチャートである。
【図３】従来、および本発明のマイコンが出力する初期化信号の出力タイミングを示すタイミングチャートである。
【符号の説明】
【００４９】
１０…テレビ受像機
１０ａ…Ａ／Ｄチューナ
１０ｂ…Ａ／Ｄ変換部
１０ｃ…映像信号処理ＩＣ
１０ｄ…ディスプレイ
１０ｅ…メインマイコン
１０ｆ…ＤＴＶマイコン
【図１】
2008005406.tif 000003
【図２】
2008005406.tif 000004
【図３】
2008005406.tif 000005